(57)【要約】  空気調和装置の室内機は、電線が載置される電線取付部と、電線取付部に載置された電線を押さえる電線押さえ具と、電線取付部の一方の側方に設けられ、電線押さえ具の一端に形成されている突起部が収容される開口部が複数形成されている壁部と、電線取付部の他方の側方に設けられ、電線押さえ具の他端が固定される高さの異なる複数のボス部と、電線押さえ具をボス部のいずれかに固定する締結部材と、を有している。
2017119139.tif 000002
【特許請求の範囲】
【請求項１】
電線を固定する電線固定構造を備え、
前記電線固定構造は、
前記電線が載置される電線取付部と、
前記電線取付部に載置された前記電線を押さえる電線押さえ具と、
前記電線取付部の一方の側方に設けられ、前記電線押さえ具の一端に形成されている突起部が収容される開口部が複数形成されている壁部と、
前記電線取付部の他方の側方に設けられ、前記電線押さえ具の他端が固定される高さの異なる複数のボス部と、
前記電線押さえ具を前記ボス部のいずれかに固定する締結部材と、を有している
空気調和装置の室内機。
【請求項２】
前記複数の開口部は、
前記複数のボス部のそれぞれの上部と対向する位置に形成されている
請求項１に記載の空気調和装置の室内機。
【請求項３】
前記電線押さえ具は、
前記電線を押さえる高さの異なる複数の押さえリブを備えている
請求項１又は２に記載の空気調和装置の室内機。
【請求項４】
前記電線押さえ具は、
ベース板部と、
前記ベース板部の一方の面に形成されている第１押さえリブと、
前記ベース板部の他方の面に形成され、前記第１押さえリブの高さと異なる高さを備えた第２押さえリブと、を有している
請求項１〜３のいずれか一項に記載の空気調和装置の室内機。
【請求項５】
前記第１押さえリブ及び前記第２押さえリブは、
それぞれ複数本で構成されている
請求項４に記載の空気調和装置の室内機。
【請求項６】
前記電線押さえ具の他端には前記ボス部に固定される突出部が形成されており、
前記突出部にはネジ挿通穴が形成されており、
前記締結部材はネジで構成されており、
前記電線押さえ具は、
前記ネジが螺着されることで前記ボス部に固定される
請求項１〜５のいずれか一項に記載の空気調和装置の室内機。
【請求項７】
前記電線取付部は、
複数のリブで構成されている
請求項１〜６のいずれか一項に記載の空気調和装置の室内機。
【発明の詳細な説明】
【技術分野】
【０００１】
本発明は、空気調和装置の室内機に関し、特に電線固定構造に関するものである。
【背景技術】
【０００２】
空気調和装置の室内機は、電源から供給される電気を室内機に導く電線を固定する電線固定構造を有している。従来の空気調和装置の室内機における電線固定構造の中には、電線押さえ具を挿通するネジの締付量を浅くする、または深くして複数の厚みの異なる電線を固定するようにしているものがあった（例えば、特許文献１参照）。
【先行技術文献】
【特許文献】
【０００３】
【特許文献１】特開平９−８９２９０号公報
【発明の概要】
【発明が解決しようとする課題】
【０００４】
特許文献１に記載されているような従来の電線固定構造では、ネジの締付量を浅くする、または深くして複数の厚みの異なる電線を固定するようにしているため、作業者がどの程度の締付力で良いかが明確でなかった。そのため、締付力がゆるくなった時には電線が抜けてしまう可能性があり、締付力がきつくなった時には電線が断線してしまう可能性があった。すなわち、特許文献１に記載されているような従来の電線固定構造は、作業者の力量に影響されるものであった。【０００５】
本発明は、上記のような課題を解決するためになされたもので、厚みが異なる複数の電線を、共有して適度な押さえ力で固定できる電線固定構造を有する空気調和装置の室内機を提供することを目的とする。
【課題を解決するための手段】
【０００６】
本発明に係る空気調和装置の室内機は、電線を固定する電線固定構造を備え、前記電線固定構造は、前記電線が載置される電線取付部と、前記電線取付部に載置された前記電線を押さえる電線押さえ具と、前記電線取付部の一方の側方に設けられ、前記電線押さえ具の一端に形成されている突起部が収容される開口部が複数形成されている壁部と、前記電線取付部の他方の側方に設けられ、前記電線押さえ具の他端が固定される高さの異なる複数のボス部と、前記電線押さえ具を前記ボス部のいずれかに固定する締結部材と、を有しているものである。
【発明の効果】
【０００７】
本発明に係る空気調和装置の室内機によれば、上記の電線固定構造を備えているので、厚みが異なる複数の電線を、共有して適度な押さえ力で固定することができる。
【図面の簡単な説明】
【０００８】
【図１】本発明の実施の形態に係る空気調和装置の室内機の一部の分解斜視図である。
【図２】本発明の実施の形態に係る空気調和装置の室内機の一部を拡大して示す斜視図である。
【図３】本発明の実施の形態に係る空気調和装置の室内機の一部を分解して示す斜視図である。
【図４】本発明の実施の形態に係る空気調和装置の室内機の電線固定具の周辺部分を拡大して示す拡大斜視図である。
【図５】本発明の実施の形態に係る空気調和装置の室内機の電線固定具を分解した状態を示す拡大分解斜視図である。
【図６】本発明の実施の形態に係る空気調和装置の室内機の電線固定具を側面方向から見た状態を示す概略側面図である。
【図７】本発明の実施の形態に係る空気調和装置の室内機の電線押さえ具を拡大して示す拡大斜視図である。
【図８】本発明の実施の形態に係る空気調和装置の室内機のボス部の高さの一例を説明するための説明図である。
【図９】本発明の実施の形態に係る空気調和装置の室内機のボス部の高さの他の一例を説明するための説明図である。
【図１０】本発明の実施の形態に係る空気調和装置の室内機の電源固定具の構成を拡大して示す概略断面図示省略である。
【図１１】本発明の実施の形態に係る空気調和装置の室内機の電源固定具の構成を拡大して示す概略断面図示省略である。
【図１２】本発明の実施の形態に係る空気調和装置の室内機において厚みの異なる２種類の電線のうち太い方の電線を固定する際の固定構造を説明するための説明図である。
【図１３】本発明の実施の形態に係る空気調和装置の室内機において厚みの異なる２種類の電線のうち細い方の電線を固定する際の固定構造を説明するための説明図である。
【図１４】比較例としての室内機において電線の厚みのために電線を固定できない場合を説明するための説明図である。
【図１５】本発明の実施の形態に係る空気調和装置の室内機において厚みの異なる４種類の電線のうち一番太い電線を固定する際の固定構造を説明するための説明図である。
【図１６】本発明の実施の形態に係る空気調和装置の室内機において厚みの異なる４種類の電線のうち一番細い電線を固定する際の固定構造を説明するための説明図である。
【発明を実施するための形態】
【０００９】
以下、図面を適宜参照しながら本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
図１は、本発明の実施の形態に係る空気調和装置の室内機（以下、室内機１００と称する）の一部の分解斜視図である。図２は、室内機１００の一部を拡大して示す斜視図である。図３は、室内機１００の一部を分解して示す斜視図である。図１〜図３に基づいて、室内機１００について説明する。
【００１１】
図１に示すように、室内機１００は、例えば室内の壁に設置される壁掛け型の室内機であって、基台１、風向板２、電気品３、筐体４を有している。
基台１は、箱型に形成され、室内機１００の背面側に設けられる。この基台１に、風向板２、電気品３、筐体４が取り付けられる。基台１は、室内の壁等に設置されるものであって、例えば樹脂等の材料で構成されている。
【００１２】
風向板２は、筐体４の吹出口に設けられており、吹出口から吹き出される調和空気の風向きを調整するものである。電気品３は、室内機１００の動作を制御するための回路基板等が収容されたものであって、例えば筐体４の幅方向の一方の壁側（図１では紙面右側）に収容されている。筐体４は、基台１に取り付けられるものである。筐体４には、送風ファン、熱交換器、冷媒配管及び電気品３が収容される。なお、筐体４の送風ファンに対向する位置には、吸引した空気を流通させる風路が形成されている。
【００１３】
電気品３の背面側下部には電線固定具５が設けられる。電線固定具５は、電源から供給される電気を室内機１００に導く電線６を固定するものである。この電線固定具５が、本発明の「電線固定構造」に相当する。電線６の一方は電気品３の内部に収容されている端子台や回路基板に接続され、他方は例えば部屋のコンセントに接続される。ここで、電線６は、内外接続線や電源ケーブルを含むものとする。
【００１４】
送風ファンは、例えばクロスフローファンまたは貫流ファン等で構成され、駆動することにより筐体４の上部から室内空気を吸い込み、筐体４の吹出口から空調空気を吹き出すものである。熱交換器は、冷房運転時には蒸発器として機能し、暖房運転時には凝縮器として機能するものである。熱交換器は、筐体４の風路のうち、送風ファンよりも上流側に設けられている。熱交換器は、例えば伝熱管及び伝熱管が挿入された複数の伝熱フィンからなり、送風ファンの前面及び上面を取り囲むような形状を有している。冷媒配管は、熱交換器に連結されており、例えば屋外に設置された室外機との間で冷媒の流通を行うものである。
【００１５】
室内機１００の動作例について簡単に説明する。
送風ファンが駆動すると、筐体４の上部の吸込口から空気が吸い込まれる。吸い込まれた空気は熱交換器において冷媒との間で熱交換され、冷気または暖気の調和空気が生成される。その後、生成された空調空気は、風向板２により方向が調整され筐体４の下部の吹出口から空調対象空間（例えば、室内等）へ送風される。
【００１６】
図４は、室内機１００の電線固定具５の周辺部分を拡大して示す拡大斜視図である。図５は、室内機１００の電線固定具５を分解した状態を示す拡大分解斜視図である。図６は、室内機１００の電線固定具５を側面方向から見た状態を示す概略側面図である。図７は、室内機１００の電線押さえ具８を拡大して示す拡大斜視図である。図８は、室内機１００のボス部１０の高さの一例を説明するための説明図である。図９は、室内機１００のボス部１０の高さの他の一例を説明するための説明図である。図１０及び図１１は、室内機１００の電線固定具５の構成を拡大して示す概略断面図示省略である。図４〜図７に基づいて、電線固定具５について詳細に説明する。
【００１７】
上述したように、電線６は、内外接続線や電源ケーブルを含むものであり、それらを樹脂などのカバー部材で１本にまとめて構成されている。このカバー部材の厚みは、室内機１００の仕様や各国の基準などによって決められていることが多く、統一されてはいない。電線６は、図４に示すように、紙面の上下方向に伸びるように電線固定具５に取り付けられることになる。なお、図４では、電線６が取り付けられている状態を示している。また、図５、図６、図１０及び図１１では、電線６が取り外された状態を示している。さらに、図１０及び図１１は、図４のＹ−Ｙ概略断面を示している。
【００１８】
図５に示すように、電線固定具５は、電線取付部７ａと、電線取付部７ａの一方の側方（紙面左側）の壁部７ｆと、電線押さえ具８と、ネジ９と、電線取付部７ａの他方の側方（紙面右側）のボス部１０と、により構成される。
【００１９】
電線取付部７ａは、図５、図１０及び図１１に示すように複数の突出したリブとして構成され、その突出面に電線６が載置される。なお、電線取付部７ａの形状を図示したものに限定するものではない。例えば、リブではなく、平面や曲面、凸凹面として構成してもよい。また、リブの本数や大きさも特に限定するものではない。電線取付部７ａの形状をリブとすることで、電線６の固定を強固にできるだけでなく、電線６への接触圧を緩和することができる。
【００２０】
壁部７ｆは、電線取付部７ａの一方の側方に立設されており、壁部７ｆには複数の開口部１１が形成されている。開口部１１には、電線押さえ具８の突起８ｃが収納可能になっている。開口部１１は、ボス部１０の数と同数が形成されている。また、開口部１１は、それぞれのボス部１０に対向する位置に形成されている。第１ボス部１０ａの上部に対向する位置に形成されている開口部１１を第１開口部１１ａ、第２ボス部１０ｂの上部に対向する位置に形成されている開口部１１を第２開口部１１ｂとして図示している。そのため、第１開口部１１ａと第２開口部１１ｂとは、長手方向が直線上に並んで形成されていない。なお、壁部７ｆは、電気品３を構成している壁面を壁部としてもよいし、電気品３に別途取り付けられているような壁面を壁部としてもよい。
【００２１】
電線押さえ具８は、電線取付部７ａに載置された電線６を上から押さえ込むものである。電線押さえ具８は、図７に示すように、略長方形状のベース板部８ａと、ベース板部８ａの長辺方向の一端に形成された突出部８ｆと、ベース板部８ａの長辺方向の他端に設けられた突起８ｃと、を有している。また、ベース板部８ａの一方の長方形状面には第１押さえリブ８ｄが突設されている。さらに、ベース板部８ａの第１押さえリブ８ｄの反対側の面には第１押さえリブ８ｄとは高さが異なるように第２押さえリブ８ｅが突設されている。突出部８ｆには、ネジ挿通穴８ｂが貫通形成されている。
【００２２】
第１押さえリブ８ｄ及び第２押さえリブ８ｅは、電線押さえ具８のベース板部８ａの長辺方向に延びるように形成されている。また、第１押さえリブ８ｄ及び第２押さえリブ８ｅは、電線６への接触圧を緩和するために複数本突設されている。第１押さえリブ８ｄ及び第２押さえリブ８ｅは、電線押さえ具８の突起８ｃが開口部１１に収納されている状態において、電線取付部７ａを構成しているリブと互い違いとなるようになっている。こうすることで、電線６の押さえ力を緩和可能になっている。ただし、電線取付部７ａが面で構成されている場合もある。さらに、第１押さえリブ８ｄ及び第２押さえリブ８ｅは、先端に行くに従い縮径される先細り形状で構成されている。
【００２３】
なお、ここでは、第１押さえリブ８ｄ及び第２押さえリブ８ｅがそれぞれ２本ずつ形成されている場合を例に示しているが、１本でも３本以上でもかまわない。また、第１押さえリブ８ｄ及び第２押さえリブ８ｅのどちらを高くしてもよいが、ここでは説明の便宜のため第１押さえリブ８ｄよりも第２押さえリブ８ｅの方が高いものとしている。さらに、第１押さえリブ８ｄ及び第２押さえリブ８ｅの形状を先細り形状とした場合を例に示しているが、先端まで同一径の形状であってもよい。
【００２４】
ネジ９は、電線押さえ具８を電線取付部７ａに取り付ける締結部材である。なお、ここでは、締結部材の一例としてネジ９を挙げて説明するが、締結部材をネジ９に限定するものではない。例えば、突出部８ｆを爪部とし、ボス部１０が形成されている部分に引っかけられるようにしておくことで、電線押さえ具８を電線取付部７ａに取り付けるようにしてもよい。
【００２５】
ボス部１０は、ネジ９が螺合されるネジ穴１０Ａが形成され、電線取付部７ａの他方の側方に設置されている。ボス部１０は、電線押さえ具８のネジ挿通穴８ｂ及び開口部１１に対向する位置に設置されている。ボス部１０は、高さの異なる複数個で構成され、挟持される電線６の延びる方向に沿って並んで配置されている。図４〜図６では、２個のボス部１０が設置されている場合を例に示しており、高さの低い方を第１ボス部１０ａ、高さの高い方を第２ボス部１０ｂとして図示している。
【００２６】
図８に示すように、第１ボス部１０ａの上面と、第２ボス部１０ｂの上面と、の差はＡとなっている。Ａは、０より大きければよく、特に数値を特定するものではない。想定される電線６の厚みに応じてＡを決定すればよい。
【００２７】
なお、ボス部１０を３個以上としてもよい。この場合、図９に示すように、ボス部１０を側面視した状態においてボス部１０は階段状に並ぶことになる。図９では、高さの低い方から第１ボス部１０ａ、第２ボス部１０ｂ、第３ボス部１０ｃ、第４ボス部１０ｄとして図示している。図９に示すように、第１ボス部１０ａの上面と、第２ボス部１０ｂの上面と、の差はＡとなっている。第１ボス部１０ａの上面と、第３ボス部１０ｃの上面と、の差はＢとなっている。第１ボス部１０ａの上面と、第４ボス部１０ｄの上面と、の差はＣとなっている。Ａ、Ｂ、Ｃは、Ｃ＞Ｂ＞Ａ＞０の関係を満たしていればよく、特に数値を特定するものではない。想定される電線６の厚みに応じてＡ、Ｂ、Ｃを決定すればよい。
【００２８】
ボス部１０、電線押さえ具８と、壁部７ｆの関係について具体的に説明する。
電線押さえ具８を第１ボス部１０ａに取り付ける場合、図１０に示すように、突起８ｃを第１開口部１１ａに収納し、突出部８ｆを第１ボス部１０ａに接触させ、ネジ９をネジ挿通穴８ｂ及びネジ穴１０Ａに螺着して固定する。電線押さえ具８を第２ボス部１０ｂに取り付ける場合、図１１に示すように、突起８ｃを第２開口部１１ｂに収納し、突出部８ｆを第２ボス部１０ｂに接触させ、ネジ９をネジ挿通穴８ｂ及びネジ穴１０Ａに螺着して固定する。
【００２９】
電線６の固定について説明する。ここでは、第１ボス部１０ａに電線押さえ具８を取り付け、第１押さえリブ８ｄで電線６を押さえる場合を例に説明する。
まず、電線取付部７ａに電線６を載置する。その状態で電線押さえ具８の突起８ｃを壁部７ｆの開口部１１に収納する。電線押さえ具８の第１押さえリブ８ｄにより電線６に圧力をかけながら、電線押さえ具８の突出部８ｆと第１ボス部１０ａを接触させる。そして、ネジ９をネジ挿通穴８ｂ及びネジ穴１０Ａに挿通して螺着する。こうすることで、電線６が固定されることになる。
【００３０】
上述したように、電線６は厚みが異なっていることがある。そこで、室内機１００では、電線押さえ具８に高さが異なる第１押さえリブ８ｄと第２押さえリブ８ｅを設け、加えて高さの異なる複数のボス部１０を設け、厚みの異なる電線６のいずれも固定できるようにしている。
【００３１】
厚みの違う２種類の電線６を固定する構造について説明する。
図１２は、室内機１００において厚みの異なる２種類の電線６のうち太い方の電線６を固定する際の固定構造を説明するための説明図である。図１３は、室内機１００において厚みの異なる２種類の電線６のうち細い方の電線６を固定する際の固定構造を説明するための説明図である。なお、厚みとは、電線６が電線取付部７ａに載置された状態において、載置面からの高さ方向の距離をいう。また、図１２及び図１３は、図４のＺ−Ｚ概略断面を示している。
【００３２】
上述したように、電線押さえ具８の第１押さえリブ８ｄ、第２押さえリブ８ｅは高さが異なっている。そのため、太い方の電線６を押さえる場合には、図１２に示すように、電線６側に高さの低い第１押さえリブ８ｄを向けて電線６を押さえることで電線６を固定できる。また、細い方の電線６を押さえる場合には、図１３に示すように、電線６側に高さの高い第２押さえリブ８ｅを向けて電線６を固定できる。このように、厚みの異なる２種類の電線６を複雑な構成を使用することなく適度な押さえ力で押さえることができる。
【００３３】
例えば日本国内においては１００Ｖと２００Ｖの電源コードの２種類の厚さが異なっているが、室内機１００では、厚みの異なる２種類の電線６の固定が電線固定具５、電線押さえ具８を共通部品として利用することができ、いずれの場合であっても適度な押さえ力で電線６を押さえることが可能になっている。
【００３４】
厚みの違う４種類の電線６を固定する構造について説明する。
図１４は、比較例としての室内機において電線６の厚みのために電線６を固定できない場合を説明するための説明図である。図１５は、室内機１００において厚みの異なる４種類の電線６のうち一番太い電線６を固定する際の固定構造を説明するための説明図である。図１６は、室内機１００において厚みの異なる４種類の電線６のうち一番細い電線６を固定する際の固定構造を説明するための説明図である。また、図１４〜図１６は、図４のＺ−Ｚ概略断面を示している。
【００３５】
例えば、図１２で図示した電線６よりもさらに厚みが多く、それぞれの厚さが異なる２種類の電線６を固定する場合を考えたとき、電線固定具５の第２ボス部１０ｂ、第２開口部１１ｂを使用して電線６を固定しようとすると、図１４に示すように、電線６が太すぎて固定ができないことになってしまう。
【００３６】
そこで、室内機１００では、電線固定具５のボス部１０、開口部１１を使用し、さらに電線押さえ具８の第１押さえリブ８ｄ、第２押さえリブ８ｅの高さ違いを利用することで、厚さが異なる４種類の電線６を適度な押さえ力で押さえることができるようにしている。そのため、一番太い方の電線６を押さえる場合には、図１５に示すように、第２ボス部１０ｂを利用して、電線６側に高さの低い第１押さえリブ８ｄを向けて電線６を押さえることで電線６を固定できる。また、一番細い方の電線６を押さえる場合には、図１６に示すように、第１ボス部１０ａを利用して、電線６側に高さの高い第２押さえリブ８ｅを向けて電線６を固定できる。このように、厚みの異なる２種類の電線６を複雑な構成を使用することなく適度な押さえ力で押さえることができる。
【００３７】
例えば日本国内の２種類の電源コード及び日本国外の２種類の電源コードの厚みの異なる４種類の電線６の固定が、室内機１００では、電線固定具５、電線押さえ具８を共通部品として利用することができ、いずれの場合であっても適度な押さえ力で電線６を押さえることが可能になっている。
【００３８】
なお、ここでは、２つのボス部１０、２つの開口部１１の組み合わせを２つとして説明しているが、ボス部１０、開口部１１の個数を増加して組み合わせを３以上に増やせば、押さえられる電線６の厚さの種類を増やすことができる（図９参照）。
【００３９】
以上のように、室内機１００では、厚さの異なる電線６を電線押さえ具８と電線固定具５を共通として、適度な押さえ力で押さえることができる。
【００４０】
また、室内機１００では、電線６を固定する電線固定具５を備え、電線固定具５は、電線６が載置される電線取付部７ａと、電線取付部７ａに載置された電線６を押さえる電線押さえ具８と、電線取付部７ａの一方の側方に設けられ、電線押さえ具８の一端に形成されている突起８ｃが収容される開口部１１が複数形成されている壁部７ｆと、電線取付部７ａの他方の側方に設けられ、電線押さえ具８の他端が固定される高さの異なる複数のボス部１０と、電線押さえ具８をボス部１０に固定する締結部材（ネジ９）と、を有しているので、厚みが異なる複数の電線６を、共有して適度な押さえ力で固定することができるようになっている。
【００４１】
また、室内機１００では、複数の開口部１１は、複数のボス部１０のそれぞれの上部と対向する位置に形成されているので、厚みが異なる複数の電線６を、共有して適度な押さえ力で固定することができるようになっている。
【００４２】
また、室内機１００では、電線押さえ具８は、電線６を押さえる高さの異なる複数の押さえリブを備えているので、複数の開口部１１及び複数のボス部１０に加え、押さえリブの高さの違いも利用して、厚みが異なる複数の電線６を共有して押さえることができる。
【００４３】
また、室内機１００では、電線押さえ具８は、ベース板部８ａと、ベース板部８ａの一方の面に形成されている第１押さえリブ８ｄと、ベース板部８ａの他方の面に形成され、第１押さえリブ８ｄの高さと異なる高さを備えた第２押さえリブ８ｅと、を有しているので、複数の開口部１１及び複数のボス部１０に加え、第１押さえリブ８ｄ、第２押さえリブ８ｅの高さの違いも利用して、厚みが異なる複数の電線６を共有して押さえることができる。
【００４４】
また、室内機１００では、第１押さえリブ８ｄ及び第２押さえリブ８ｅは、それぞれ複数本で構成されているので、電線６への接触圧を緩和することができる。
【００４５】
また、室内機１００では、電線押さえ具８の他端にはボス部１０に固定される突出部８ｆが形成されており、突出部８ｆにはネジ挿通穴８ｂが形成されており、締結部材はネジ９で構成されており、電線押さえ具８は、ネジ９が螺着されることでボス部１０に固定されるので、複雑な構造を使用することなく厚みの異なる２種類の電線６を押さえることができる。
【００４６】
また、室内機１００では、電線取付部７ａは、複数のリブで構成されているので、電線６を強固に固定でき、また電線６への接触圧を緩和することができる。
【符号の説明】
【００４７】
１  基台、２  風向板、３  電気品、４  筐体、５  電線固定具、６  電線、７ａ  電線取付部、７ｆ  壁部、８  電線押さえ具、８ａ  ベース板部、８ｂ  ネジ挿通穴、８ｃ  突起、８ｄ  第１押さえリブ、８ｅ  第２押さえリブ、８ｆ  突出部、９  ネジ、１０  ボス部、１０Ａ  ネジ穴、１０ａ  第１ボス部、１０ｂ  第２ボス部、１０ｃ  第３ボス部、１０ｄ  第４ボス部、１１  開口部、１１ａ  第１開口部、１１ｂ  第２開口部、１００  室内機。
【図１】
2017119139.tif 000003
【図２】
2017119139.tif 000004
【図３】
2017119139.tif 000005
【図４】
2017119139.tif 000006
【図５】
2017119139.tif 000007
【図６】
2017119139.tif 000008
【図７】
2017119139.tif 000009
【図８】
2017119139.tif 000010
【図９】
2017119139.tif 000011
【図１０】
2017119139.tif 000012
【図１１】
2017119139.tif 000013
【図１２】
2017119139.tif 000014
【図１３】
2017119139.tif 000015
【図１４】
2017119139.tif 000016
【図１５】
2017119139.tif 000017
【図１６】
2017119139.tif 000018
【手続補正書】
【提出日】平成30年4月19日(2018.4.19)
【手続補正１】
【補正対象書類名】明細書
【補正対象項目名】０００６
【補正方法】変更
【補正の内容】
【０００６】
本発明に係る空気調和装置の室内機は、電線を固定する電線固定構造を備え、前記電線固定構造は、前記電線の取付部位が位置する電線取付部と、前記電線取付部に位置する前記電線の取付部位を押さえる電線押さえ具と、前記電線取付部の一方の側方に設けられ、前記電線押さえ具の一端に形成されている突起部が収容される開口部が複数形成されている壁部と、前記電線取付部の他方の側方に設けられ、前記電線押さえ具の他端が固定される高さの異なる複数のボス部と、前記電線押さえ具を前記ボス部のいずれかに固定する締結部材と、を有しているものである。
【手続補正２】
【補正対象書類名】特許請求の範囲
【補正対象項目名】全文
【補正方法】変更
【補正の内容】
【特許請求の範囲】
【請求項１】
電線を固定する電線固定構造を備え、
前記電線固定構造は、
前記電線の取付部位が位置する電線取付部と、
前記電線取付部に位置する前記電線の取付部位を押さえる電線押さえ具と、
前記電線取付部の一方の側方に設けられ、前記電線押さえ具の一端に形成されている突起部が収容される開口部が複数形成されている壁部と、
前記電線取付部の他方の側方に設けられ、前記電線押さえ具の他端が固定される高さの異なる複数のボス部と、
前記電線押さえ具を前記ボス部のいずれかに固定する締結部材と、を有している
空気調和装置の室内機。
【請求項２】
前記複数の開口部は、
前記複数のボス部のそれぞれの上部と対向する位置に形成されている
請求項１に記載の空気調和装置の室内機。
【請求項３】
前記電線押さえ具は、
前記電線を押さえる高さの異なる複数の押さえリブを備えている
請求項１又は２に記載の空気調和装置の室内機。
【請求項４】
前記電線押さえ具は、
ベース板部と、
前記ベース板部の一方の面に形成されている第１押さえリブと、
前記ベース板部の他方の面に形成され、前記第１押さえリブの高さと異なる高さを備えた第２押さえリブと、を有している
請求項１〜３のいずれか一項に記載の空気調和装置の室内機。
【請求項５】
前記第１押さえリブ及び前記第２押さえリブは、
それぞれ複数本で構成されている
請求項４に記載の空気調和装置の室内機。
【請求項６】
前記電線押さえ具の他端には前記ボス部に固定される突出部が形成されており、
前記突出部にはネジ挿通穴が形成されており、
前記締結部材はネジで構成されており、
前記電線押さえ具は、
前記ネジが螺着されることで前記ボス部に固定される
請求項１〜５のいずれか一項に記載の空気調和装置の室内機。
【請求項７】
前記電線取付部は、
複数のリブで構成されている
請求項１〜６のいずれか一項に記載の空気調和装置の室内機。
【国際調査報告】
2017119139.tif 000019
2017119139.tif 000020
2017119139.tif 000021
2017119139.tif 000022